(57)【特許請求の範囲】
【請求項１】
テレビ放送信号を受信する受信部と、
前記受信部によって受信されたテレビ放送信号に含まれる番組の画像データを復号して表示装置に画像を表示させる画像表示制御部と、
前記テレビ放送信号に含まれて放送される番組の放送開始時刻と番組名とを少なくとも含む番組情報を取得する番組情報取得部と、
前記番組情報取得部によって取得された番組情報に基づいて番組表を生成し、この生成した番組表を前記表示装置に表示させる番組表表示制御部と、
前記表示装置によって表示された番組表の中の一つの番組を外部操作に基づいて選択する番組選択部と、
前記番組情報取得部によって取得された番組情報の中から前記番組選択部によって選択された番組に関連するキーワードを抽出する抽出部と、
一つ又は複数のウェブサイトの名称と、前記ウェブサイトの位置を示す所在情報と、それら一つ又は複数のウェブサイトの中の一つにおける前記抽出部によって抽出されたキーワードに関連するウェブページの位置を示す取得目的情報を生成するための取得目的情報生成規則とをサイト情報提供装置から取得するサイト情報取得部と、
前記サイト情報取得部によって取得された一つ又は複数のウェブサイトの名称を前記表示装置に表示させるサイト名表示制御部と、
前記表示装置によって表示された一つ又は複数のウェブサイトの名称の中の一つのウェブサイトの名称を外部操作に基づいて選択するサイト名選択部と、
前記サイト情報取得部によって取得された取得目的情報生成規則にしたがって、前記サイト情報取得部によって取得された前記所在情報を利用して、前記サイト名選択部によって選択された名称のウェブサイトにおける、前記抽出部によって抽出されたキーワードに関連するウェブページの位置を示す取得目的情報を生成する生成部と、
前記生成部によって生成された取得目的情報を用いて取得したウェブページの情報を表示装置に表示させる表示制御手段と
を備えるテレビ放送受信装置。
【請求項２】
テレビ放送信号を受信するステップと、
受信したテレビ放送信号に含まれる番組の画像データを復号して表示装置に画像を表示させるステップと、
前記テレビ放送信号に含まれて放送される番組の放送開始時刻と番組名とを少なくとも含む番組情報を取得するステップと、
取得した番組情報に基づいて番組表を生成し、この生成した番組表を前記表示装置に表示させるステップと、
前記表示装置によって表示された番組表の中の一つの番組を指示に基づいて選択するステップと、
取得した番組情報の中から選択した番組に関連するキーワードを抽出するステップと、
一つ又は複数のウェブサイトの名称と、前記ウェブサイトの位置を示す所在情報と、それら一つ又は複数のウェブサイトの中の一つにおける抽出したキーワードに関連するウェブページの位置を示す取得目的情報を生成するための取得目的情報生成規則とをサイト情報提供装置から取得するステップと、
取得した一つ又は複数のウェブサイトの名称を前記表示装置に表示させるステップと、
前記表示装置によって表示された一つ又は複数のウェブサイトの名称の中の一つのウェブサイトの名称を指示に基づいて選択するステップと、
取得した取得目的情報生成規則にしたがって、取得した前記所在情報を利用して、選択した名称のウェブサイトにおける、抽出したキーワードに関連するウェブページの位置を示す取得目的情報を生成するステップと、
前記生成するステップによって生成された取得目的情報を用いて取得したウェブページの情報を表示装置に表示させるステップと
を含む取得目的情報生成方法。
【請求項３】
テレビ放送信号を受信する機能と、
受信したテレビ放送信号に含まれる番組の画像データを復号して表示装置に画像を表示させる機能と、
前記テレビ放送信号に含まれて放送される番組の放送開始時刻と番組名とを少なくとも含む番組情報を取得する機能と、
取得した番組情報に基づいて番組表を生成し、この生成した番組表を前記表示装置に表示させる機能と、
前記表示装置によって表示された番組表の中の一つの番組を指示に基づいて選択する機能と、
取得した番組情報の中から選択した番組に関連するキーワードを抽出する機能と、
一つ又は複数のウェブサイトの名称と、前記ウェブサイトの位置を示す所在情報と、それら一つ又は複数のウェブサイトの中の一つにおける抽出したキーワードに関連するウェブページの位置を示す取得目的情報を生成するための取得目的情報生成規則とをサイト情報提供装置から取得する機能と、
取得した一つ又は複数のウェブサイトの名称を前記表示装置に表示させる機能と、
前記表示装置によって表示された一つ又は複数のウェブサイトの名称の中の一つのウェブサイトの名称を指示に基づいて選択する機能と、
取得した取得目的情報生成規則にしたがって、取得した前記所在情報を利用して、選択した名称のウェブサイトにおける、抽出したキーワードに関連するウェブページの位置を示す取得目的情報を生成する機能と、
前記生成する機能によって生成された取得目的情報を用いて取得したウェブページの情報を表示装置に表示させる機能と
をコンピュータに実現させるためのプログラム。
【請求項４】
テレビ放送信号を受信する放送信号受信部と、
前記放送信号受信部によって受信されたテレビ放送信号に含まれる番組の画像データを復号して表示装置に画像を表示させる画像表示制御部と、
前記テレビ放送信号に含まれて放送される番組の放送開始時刻と番組名とを少なくとも含む番組情報を取得する番組情報取得部と、
前記番組情報取得部によって取得された番組情報に基づいて番組表を生成し、この生成した番組表を前記表示装置に表示させる番組表表示制御部と、
前記表示装置によって表示された番組表の中から一つの番組を外部操作に基づいて選択する番組選択部と、
前記番組情報取得部によって取得された番組情報の中から前記番組選択部によって選択された番組に関連するキーワードを抽出する抽出部と、
一つ又は複数のウェブサイトの名称を外部から取得するサイト情報取得部と、
前記サイト情報取得部によって取得された一つ又は複数のウェブサイトの名称を前記表示装置に表示させるサイト名表示制御部と、
前記表示装置によって表示された一つ又は複数のウェブサイトの名称の中の一つのウェブサイトの名称を外部操作に基づいて選択するサイト名選択部と、
前記サイト名選択部によって選択されたウェブサイトの名称と前記抽出部によって抽出されたキーワードとを外部に送信する送信部と、
外部から、前記サイト名選択部によって選択された名称のウェブサイトにおける、前記抽出部によって抽出されたキーワードに関連するウェブページの位置を示す取得目的情報を受信するアクセス情報受信部と、
前記受信部によって受信された取得目的情報を用いて取得したウェブページの情報を表示装置に表示させる表示制御手段と
を備えるテレビ放送受信装置。
【請求項５】
更に、
本装置の固有識別情報を保持する識別情報保持部と、
前記サイト名選択部によって選択された名称のウェブサイトにアクセスするサイトアクセス部とを備え、
前記サイト名選択部によって選択された名称のウェブサイトは、買い物を実現するためのウェブサイトであって、
前記サイトアクセス部は、前記サイト名選択部によって選択された名称のウェブサイトにアクセスする場合、前記識別情報保持部によって保持されている固有識別情報を、前記買い物を実現するためのウェブサイトに送信する
請求項１又は４に記載のテレビ放送受信装置。
【請求項６】
一つ又は複数のウェブサイトの名称と、前記ウェブサイトの位置を示す所在情報と、それら一つ又は複数のウェブサイトの中の一つにおける与えられたキーワードに関連するウェブページの位置を示す取得目的情報を生成するための取得目的情報生成規則とを保持する保持部と、
前記保持部によって保持されている一つ又は複数のウェブサイトの名称をテレビ放送受信装置に送信するサイト情報送信部と、
ウェブサイトの名称とキーワードとを前記テレビ放送受信装置から受信する受信部と、
前記保持部によって保持されている取得目的情報生成規則にしたがって、前記受信部によって受信された名称のウェブサイトにおける、前記受信部によって受信されたキーワードに関連するウェブページの位置を示す取得目的情報を生成する生成部と、
前記生成部によって生成された取得目的情報を、取得目的情報を用いて取得したウェブページの情報を表示装置に表示させる前記テレビ放送受信装置に送信するアクセス情報送信部と
を備える取得目的情報生成装置。
【請求項７】
テレビ放送信号を受信し、受信したテレビ放送信号に含まれる番組の画像データを復号して表示装置に画像を表示させるテレビ放送受信装置と、
一つ又は複数のウェブサイトの名称と、前記ウェブサイトの位置を示す所在情報とを保持する取得目的情報生成装置とを
備え、
前記テレビ放送受信装置は、前記テレビ放送信号に含まれて放送される番組の放送開始時刻と番組名とを少なくとも含む番組情報を取得して、その取得した番組情報に基づいて番組表を生成し、この生成した番組表を前記表示装置に表示させ、
前記表示装置によって表示された番組表の中の一つの番組を外部操作に基づいて選択し、
取得した番組情報の中から、外部操作に基づいて選択した番組に関連するキーワードを抽出し、一つ又は複数のウェブサイトの名称を前記取得目的情報生成装置から取得し、
取得した一つ又は複数のウェブサイトの名称を前記表示装置に表示させ、前記表示装置によって表示された一つ又は複数のウェブサイトの名称の中の一つのウェブサイトの名称を外部操作に基づいて選択し、
この選択したウェブサイトの名称と抽出したキーワードとを前記取得目的情報生成装置に送信し、
前記取得目的情報生成装置は、前記一つ又は複数のウェブサイトの中の一つにおける、与えられたキーワードに関連するウェブページの位置を示す取得目的情報を生成するための取得目的情報生成規則をも保持しており、ウェブサイトの名称とキーワードとを前記テレビ放送受信装置から受信し、
前記取得目的情報生成規則にしたがって、受信した名称のウェブサイトにおける、受信したキーワードに関連するウェブページの位置を示す取得目的情報を生成し、
生成した取得目的情報を前記テレビ放送受信装置に送信し、
前記テレビ放送受信装置は、前記取得目的情報生成装置から、生成された取得目的情報を受信し、
その受信した取得目的情報を用いて取得したウェブページの情報を表示装置に表示させる
テレビ放送システム。
【請求項８】
更に、前記テレビ放送受信装置が受け付けた名称のウェブサイトとして買い物を実現するためのウェブサイトを備え、
前記テレビ放送受信装置は、更に、前記テレビ放送受信装置の固有識別情報を保持する識別情報保持部と、
受け付けられた名称のウェブサイトである前記買い物を実現するためのウェブサイトにアクセスする機能とを有し、
前記買い物を実現するためのウェブサイトにアクセスする場合、前記識別情報保持部によって保持されている固有識別情報を、前記買い物を実現するためのウェブサイトに送信し、
前記実現するためのウェブサイトは、前記テレビ放送受信装置のユーザによって買い物が実行されたことを固有識別情報によって検出した場合、買い物の対価の一部を、銀行機能を有するウェブサイトの前記テレビ放送受信装置のユーザに対応する口座に送金する
請求項７に記載のテレビ放送システム。
【請求項９】
テレビ放送受信装置が、テレビ放送信号を受信し、受信したテレビ放送信号に含まれる番組の画像データを復号して表示装置に画像を表示させ、
前記テレビ放送信号に含まれて放送される番組の放送開始時刻と番組名とを少なくとも含む番組情報を取得して、その取得した番組情報に基づいて番組表を生成し、
この生成した番組表を前記表示装置に表示させ、
前記表示装置によって表示された番組表の中の一つの番組を外部操作に基づいて選択し、
取得した番組情報の中から、外部操作に基づいて選択した番組に関連するキーワードを抽出し、
一つ又は複数のウェブサイトの名称を取得目的情報生成装置から取得し、取得した一つ又は複数のウェブサイトの名称を前記表示装置に表示させ、
前記表示装置によって表示された一つ又は複数のウェブサイトの名称の中の一つのウェブサイトの名称を外部操作に基づいて選択し、
この選択したウェブサイトの名称と抽出したキーワードとを前記取得目的情報生成装置に送信し、
前記取得目的情報生成装置が、ウェブサイトの名称とキーワードとを前記テレビ放送受信装置から受信し、
前記一つ又は複数のウェブサイトの中の一つにおける与えられたキーワードに関連するウェブページの位置を示す取得目的情報を生成するための取得目的情報生成規則にしたがって、受信した名称のウェブサイトにおける、受信したキーワードに関連するウェブページの位置を示す取得目的情報を生成し、
生成した取得目的情報を前記テレビ放送受信装置に送信し、
前記テレビ放送受信装置が、前記取得目的情報生成装置から、生成された取得目的情報を受信し、
その受信した取得目的情報を用いて取得したウェブページの情報を表示装置に表示させる
取得目的情報生成方法。
【発明の詳細な説明】
【技術分野】
【０００１】
本発明は、テレビ放送受信装置がウェブページの情報を取得するための情報を生成する技術に関する。
【背景技術】
【０００２】
近年、デジタル放送が開始され、デジタル放送ととともに番組情報がテレビ放送受信装置により受信できるようになった。一方、多くの人が、テレビ番組を視聴しながら、視聴している番組に関係のあることをパソコン等で検索している。そのため、テレビ放送受信装置と検索との連携が重要になってきている。
【０００３】
これまでに、テレビ放送信号の受信と検索とを組み合わせた技術が提案されている。例えば、ユーザが操作途中の状態を表すＵＲＬをクエリ文字列とともに覚えておき、後でそのＵＲＬにアクセスすることにより、以前にアクセスしたのと同じ状態でアクセスできる技術が提案されている（例えば、特許文献１参照）。
【先行技術文献】
【特許文献】
【０００４】
【特許文献１】特開平１０−３０７７９５号公報
【発明の概要】
【発明が解決しようとする課題】
【０００５】
しかしながら、番組情報を元に例えば買い物をするとき、番組名や出演者等その時々により検索したい情報が変わり、それに対応してクエリ文字列を変更する必要がある。また、検索するサイトにおいて、クエリ文字列の構成が時間とともに変化する問題がある。従来の技術では、それらの問題を解決することができない。つまり、番組情報を元にインターネットを用いて検索を行う従来の技術は、ユーザの利便性が良くない。
【０００６】
本発明は、番組情報を元にインターネットを用いて検索を行う際、ユーザの利便性を従来より高めた技術を提供することを目的とする。
【課題を解決するための手段】
【０００７】
上記課題を解決し上記目的を達成するために、本発明のテレビ放送受信装置は、テレビ放送信号を受信する受信部と、前記受信部によって受信されたテレビ放送信号に含まれる番組の画像データを復号して表示装置に画像を表示させる画像表示制御部と、前記テレビ放送信号に含まれて放送される番組の放送開始時刻と番組名とを少なくとも含む番組情報を取得する番組情報取得部と、前記番組情報取得部によって取得された番組情報に基づいて番組表を生成し、この生成した番組表を前記表示装置に表示させる番組表表示制御部と、前記表示装置によって表示された番組表の中の一つの番組を外部操作に基づいて選択する番組選択部と、前記番組情報取得部によって取得された番組情報の中から前記番組選択部によって選択された番組に関連するキーワードを抽出する抽出部と、一つ又は複数のウェブサイトの名称と、前記ウェブサイトの位置を示す所在情報と、それら一つ又は複数のウェブサイトの中の一つにおける前記抽出部によって抽出されたキーワードに関連するウェブページの位置を示す取得目的情報を生成するための取得目的情報生成規則とをサイト情報提供装置から取得するサイト情報取得部と、前記サイト情報取得部によって取得された一つ又は複数のウェブサイトの名称を前記表示装置に表示させるサイト名表示制御部と、前記表示装置によって表示された一つ又は複数のウェブサイトの名称の中の一つのウェブサイトの名称を外部操作に基づいて選択するサイト名選択部と、前記サイト情報取得部によって取得された取得目的情報生成規則にしたがって、前記サイト情報取得部によって取得された前記所在情報を利用して、前記サイト名選択部によって選択された名称のウェブサイトにおける、前記抽出部によって抽出されたキーワードに関連するウェブページの位置を示す取得目的情報を生成する生成部と、前記生成部によって生成された取得目的情報を用いて取得したウェブページの情報を表示装置に表示させる表示制御手段とを備える。
【０００８】
本発明の取得目的情報生成方法は、テレビ放送信号を受信するステップと、受信したテレビ放送信号に含まれる番組の画像データを復号して表示装置に画像を表示させるステップと、前記テレビ放送信号に含まれて放送される番組の放送開始時刻と番組名とを少なくとも含む番組情報を取得するステップと、取得した番組情報に基づいて番組表を生成し、この生成した番組表を前記表示装置に表示させるステップと、前記表示装置によって表示された番組表の中の一つの番組を指示に基づいて選択するステップと、取得した番組情報の中から選択した番組に関連するキーワードを抽出するステップと、一つ又は複数のウェブサイトの名称と、前記ウェブサイトの位置を示す所在情報と、それら一つ又は複数のウェブサイトの中の一つにおける抽出したキーワードに関連するウェブページの位置を示す取得目的情報を生成するための取得目的情報生成規則とをサイト情報提供装置から取得するステップと、取得した一つ又は複数のウェブサイトの名称を前記表示装置に表示させるステップと、前記表示装置によって表示された一つ又は複数のウェブサイトの名称の中の一つのウェブサイトの名称を指示に基づいて選択するステップと、取得した取得目的情報生成規則にしたがって、取得した前記所在情報を利用して、選択した名称のウェブサイトにおける、抽出したキーワードに関連するウェブページの位置を示す取得目的情報を生成するステップと、前記生成するステップによって生成された取得目的情報を用いて取得したウェブページの情報を表示装置に表示させるステップとを含む。
【０００９】
本発明のプログラムは、テレビ放送信号を受信する機能と、受信したテレビ放送信号に含まれる番組の画像データを復号して表示装置に画像を表示させる機能と、前記テレビ放送信号に含まれて放送される番組の放送開始時刻と番組名とを少なくとも含む番組情報を取得する機能と、取得した番組情報に基づいて番組表を生成し、この生成した番組表を前記表示装置に表示させる機能と、前記表示装置によって表示された番組表の中の一つの番組を指示に基づいて選択する機能と、取得した番組情報の中から選択した番組に関連するキーワードを抽出する機能と、一つ又は複数のウェブサイトの名称と、前記ウェブサイトの位置を示す所在情報と、それら一つ又は複数のウェブサイトの中の一つにおける抽出したキーワードに関連するウェブページの位置を示す取得目的情報を生成するための取得目的情報生成規則とをサイト情報提供装置から取得する機能と、取得した一つ又は複数のウェブサイトの名称を前記表示装置に表示させる機能と、前記表示装置によって表示された一つ又は複数のウェブサイトの名称の中の一つのウェブサイトの名称を指示に基づいて選択する機能と、取得した取得目的情報生成規則にしたがって、取得した前記所在情報を利用して、選択した名称のウェブサイトにおける、抽出したキーワードに関連するウェブページの位置を示す取得目的情報を生成する機能と、前記生成する機能によって生成された取得目的情報を用いて取得したウェブページの情報を表示装置に表示させる機能とをコンピュータに実現させるためのプログラムである。
【００１０】
本発明のテレビ放送受信装置は、テレビ放送信号を受信する放送信号受信部と、前記放送信号受信部によって受信されたテレビ放送信号に含まれる番組の画像データを復号して表示装置に画像を表示させる画像表示制御部と、前記テレビ放送信号に含まれて放送される番組の放送開始時刻と番組名とを少なくとも含む番組情報を取得する番組情報取得部と、前記番組情報取得部によって取得された番組情報に基づいて番組表を生成し、この生成した番組表を前記表示装置に表示させる番組表表示制御部と、前記表示装置によって表示された番組表の中から一つの番組を外部操作に基づいて選択する番組選択部と、前記番組情報取得部によって取得された番組情報の中から前記番組選択部によって選択された番組に関連するキーワードを抽出する抽出部と、一つ又は複数のウェブサイトの名称を外部から取得するサイト情報取得部と、前記サイト情報取得部によって取得された一つ又は複数のウェブサイトの名称を前記表示装置に表示させるサイト名表示制御部と、前記表示装置によって表示された一つ又は複数のウェブサイトの名称の中の一つのウェブサイトの名称を外部操作に基づいて選択するサイト名選択部と、前記サイト名選択部によって選択されたウェブサイトの名称と前記抽出部によって抽出されたキーワードとを外部に送信する送信部と、外部から、前記サイト名選択部によって選択された名称のウェブサイトにおける、前記抽出部によって抽出されたキーワードに関連するウェブページの位置を示す取得目的情報を受信するアクセス情報受信部と、前記受信部によって受信された取得目的情報を用いて取得したウェブページの情報を表示装置に表示させる表示制御手段とを備える。
【００１１】
本発明の取得目的情報生成装置は、一つ又は複数のウェブサイトの名称と、前記ウェブサイトの位置を示す所在情報と、それら一つ又は複数のウェブサイトの中の一つにおける与えられたキーワードに関連するウェブページの位置を示す取得目的情報を生成するための取得目的情報生成規則とを保持する保持部と、前記保持部によって保持されている一つ又は複数のウェブサイトの名称をテレビ放送受信装置に送信するサイト情報送信部と、ウェブサイトの名称とキーワードとを前記テレビ放送受信装置から受信する受信部と、前記保持部によって保持されている取得目的情報生成規則にしたがって、前記受信部によって受信された名称のウェブサイトにおける、前記受信部によって受信されたキーワードに関連するウェブページの位置を示す取得目的情報を生成する生成部と、前記生成部によって生成された取得目的情報を、取得目的情報を用いて取得したウェブページの情報を表示装置に表示させる前記テレビ放送受信装置に送信するアクセス情報送信部とを備える。
【００１２】
本発明のテレビ放送システムは、テレビ放送信号を受信し、受信したテレビ放送信号に含まれる番組の画像データを復号して表示装置に画像を表示させるテレビ放送受信装置と、一つ又は複数のウェブサイトの名称と、前記ウェブサイトの位置を示す所在情報とを保持する取得目的情報生成装置とを
備え、前記テレビ放送受信装置は、前記テレビ放送信号に含まれて放送される番組の放送開始時刻と番組名とを少なくとも含む番組情報を取得して、その取得した番組情報に基づいて番組表を生成し、この生成した番組表を前記表示装置に表示させ、前記表示装置によって表示された番組表の中の一つの番組を外部操作に基づいて選択し、取得した番組情報の中から、外部操作に基づいて選択した番組に関連するキーワードを抽出し、一つ又は複数のウェブサイトの名称を前記取得目的情報生成装置から取得し、取得した一つ又は複数のウェブサイトの名称を前記表示装置に表示させ、前記表示装置によって表示された一つ又は複数のウェブサイトの名称の中の一つのウェブサイトの名称を外部操作に基づいて選択し、この選択したウェブサイトの名称と抽出したキーワードとを前記取得目的情報生成装置に送信し、前記取得目的情報生成装置は、前記一つ又は複数のウェブサイトの中の一つにおける、与えられたキーワードに関連するウェブページの位置を示す取得目的情報を生成するための取得目的情報生成規則をも保持しており、ウェブサイトの名称とキーワードとを前記テレビ放送受信装置から受信し、前記取得目的情報生成規則にしたがって、受信した名称のウェブサイトにおける、受信したキーワードに関連するウェブページの位置を示す取得目的情報を生成し、生成した取得目的情報を前記テレビ放送受信装置に送信し、前記テレビ放送受信装置は、前記取得目的情報生成装置から、生成された取得目的情報を受信し、その受信した取得目的情報を用いて取得したウェブページの情報を表示装置に表示させる。
【００１３】
本発明の取得目的情報生成方法は、テレビ放送受信装置が、テレビ放送信号を受信し、受信したテレビ放送信号に含まれる番組の画像データを復号して表示装置に画像を表示させ、前記テレビ放送信号に含まれて放送される番組の放送開始時刻と番組名とを少なくとも含む番組情報を取得して、その取得した番組情報に基づいて番組表を生成し、この生成した番組表を前記表示装置に表示させ、前記表示装置によって表示された番組表の中の一つの番組を外部操作に基づいて選択し、取得した番組情報の中から、外部操作に基づいて選択した番組に関連するキーワードを抽出し、一つ又は複数のウェブサイトの名称を取得目的情報生成装置から取得し、取得した一つ又は複数のウェブサイトの名称を前記表示装置に表示させ、前記表示装置によって表示された一つ又は複数のウェブサイトの名称の中の一つのウェブサイトの名称を外部操作に基づいて選択し、この選択したウェブサイトの名称と抽出したキーワードとを前記取得目的情報生成装置に送信し、前記取得目的情報生成装置が、ウェブサイトの名称とキーワードとを前記テレビ放送受信装置から受信し、前記一つ又は複数のウェブサイトの中の一つにおける与えられたキーワードに関連するウェブページの位置を示す取得目的情報を生成するための取得目的情報生成規則にしたがって、受信した名称のウェブサイトにおける、受信したキーワードに関連するウェブページの位置を示す取得目的情報を生成し、生成した取得目的情報を前記テレビ放送受信装置に送信し、前記テレビ放送受信装置が、前記取得目的情報生成装置から、生成された取得目的情報を受信し、その受信した取得目的情報を用いて取得したウェブページの情報を表示装置に表示させる方法である。
【発明の効果】
【００１４】
本発明は、番組情報を元にインターネットを用いて検索を行う際、ユーザの利便性を従来より高めた技術を提供することができる。
【図面の簡単な説明】
【００１５】
【図１】実施の形態１のテレビ放送システムの第１の構成図である。
【図２】表示装置の画面に表示された番組表の一例を示す図である。
【図３】図２の番組表の中の「日本グルメの旅」という名称の番組が選択されている状況を示す図である。
【図４】図３の番組表の上に表示された四つの買い物サイトの名称の一覧の一例を示す図である。
【図５】四つの買い物サイトの名称及び所在情報と、取得目的情報生成規則との一例を示す図である。
【図６】「ラプラタ．ｃｏ．ｊｐ」という名称の買い物サイトにおける「日本グルメの旅」というキーワードに関連するウェブページの検索結果の例を示す図である。
【図７】実施の形態１のテレビ放送システムの第２の構成図である。
【図８】実施の形態１のテレビ放送受信装置の動作の各手順を示すフローチャートである。
【図９】実施の形態２のテレビ放送システムの構成図である。
【図１０】図９の取得目的情報生成装置の保持部が、四つの買い物サイトの名称と、取得目的情報生成規則とを別個に保持していることを示す図である。
【図１１】図９の取得目的情報生成装置の保持部が保持している四つの買い物サイトの名称を特定するｓｈｏｐｐｉｎｇｓｉｔｅ．ｈｔｍｌの文書ファイルの内容を示す図である。
【図１２】実施の形態２の取得目的情報生成装置の生成部が取得目的情報を生成する際の動作の各手順を示す第１のフローチャートである。
【図１３】実施の形態２の取得目的情報生成装置の生成部が取得目的情報を生成する際の動作の各手順を示す第２のフローチャートである。
【図１４】実施の形態３のテレビ放送システムの構成図である。
【図１５】取得目的情報を生成するための情報を含むｈｔｍｌ文書の一例を示す図である。
【発明を実施するための形態】
【００１６】
以下に、本発明を実施するための形態を図面を参照して説明する。
【００１７】
（実施の形態１）
先ず、実施の形態１のテレビ放送システムの構成を図１を用いて説明する。図１は、実施の形態１のテレビ放送システムの構成図である。
【００１８】
図１に示すように、実施の形態１のテレビ放送システムは、テレビ放送受信装置１００と、サイト情報提供装置２００とを有する。図１には、テレビ放送システムの外部の装置等として、アンテナ７００、表示装置３００、スピーカ４００、インターネット５００、及び、買い物サイト６００も表示されている。テレビ放送受信装置１００、サイト情報提供装置２００、及び、買い物サイト６００は、インターネット５００に接続される。アンテナ７００、表示装置３００及びスピーカ４００は、テレビ放送受信装置１００に接続される。買い物サイト６００は、インターネット５００を介して行う買い物を実現するためのウェブサイトである。なお、図１は、テレビ放送受信装置１００が有する機能に着目した実施の形態１のテレビ放送システムの構成図である。
【００１９】
テレビ放送受信装置１００は、デジタルのテレビ放送信号を受信して復号するとともに、買い物サイト６００にアクセスする装置である。テレビ放送受信装置１００は、複数の構成部を有している。それら複数の構成部の説明は後に行う。サイト情報提供装置２００は、一つ以上の買い物サイトの名称及び所在情報を保持している。また、サイト情報提供装置２００は、それら一つ以上の買い物サイトの中の一つにおける、与えられたキーワードに関連するウェブページの情報を取得するための取得目的情報（ＵＲＬ：Uniform Resource Locator）を生成するための取得目的情報生成規則をも保持している。すなわち、一つ以上の買い物サイトの中の一つにおける与えられたキーワードに関連するウェブページの情報とは、例えば、一つ以上の買い物サイトの中の一つに、上記取得目的情報生成規則を用いて生成された取得目的情報によってアクセスして得られる情報である。また、サイト情報提供装置２００が保持している情報については、後に図５を用いて詳述する。
【００２０】
次に、テレビ放送受信装置１００の各構成部を説明する。図１に示すように、テレビ放送受信装置１００は、本体１００Ａと、リモコン１００Ｂとによって構成されている。本体１００Ａは、テレビ放送信号の受信及び復号等の処理を実行する装置であり、リモコン１００Ｂは、本体１００Ａが実行することができる処理に対するユーザの制御指示をユーザから受け付けてその指示を赤外線により本体１００Ａに送信する装置である。
【００２１】
本体１００Ａは、受信部１と、デスクランブル部２と、分離部３と、放送データ保持部４と、画像表示制御部５と、音出力制御部６と、番組表表示制御部７と、サイト名表示制御部８と、ウェブページ情報表示制御部９と、番組情報取得部１０と、番組情報保持部１１と、サイト情報取得部１２と、サイト情報保持部１３と、番組表表示指示受付部１４と、番組選択部１５と、抽出部１６と、サイト名表示指示受付部１７と、サイト名選択部１８と、生成部１９と、サイトアクセス部２０とを有する。
【００２２】
受信部１は、ユーザが視聴するテレビ番組のチャンネルの選択をユーザから受け付け、アンテナ７００からのデジタルテレビの放送信号を受信し、受信したテレビ放送信号の中からユーザによって選択されたチャンネルの信号を抽出してデスクランブル部２に出力する。また、受信部１は、番組情報と、ユーザによって選択されたチャンネルのビデオデータ及びオーディオデータとを含むテレビ放送信号をデスクランブル部２に出力する。
【００２３】
デスクランブル部２は、受信部１から一つのチャンネルのビデオデータ及びオーディオデータと番組情報とを含むテレビ放送信号を受け取り、受け取ったテレビ放送信号がスクランブル処理された信号である場合、デスクランブル処理を行って、デスクランブル処理したテレビ放送信号を分離部３に出力する。受信部１が出力するテレビ放送信号がスクランブル処理されていない信号である場合、デスクランブル部２は、受信部１からのテレビ放送信号をそのままの状態で分離部３に出力する。
【００２４】
分離部３は、デスクランブル部２からのデジタルテレビの放送信号を、ビデオデータと、オーディオデータと、番組情報とに分割してそれらを別々に放送データ保持部４に蓄積する。また、分離部３は、蓄積したビデオデータを画像表示制御部５に出力し、蓄積したオーディオデータを音出力制御部６に出力する。
【００２５】
画像表示制御部５は、分離部３からのビデオデータを受け取って復号し、復号したビデオデータに対応する画像を表示装置３００に表示させる。また、画像表示制御部５は、必要に応じて、後述する番組表表示制御部７、サイト名表示制御部８、ウェブページ情報表示制御部９から供給される情報を、ビデオデータに合成、またはビデオデータと切換えて表示装置３００に表示させる。
【００２６】
音出力制御部６は、分離部３からのオーディオデータを受け取って復号し、復号したオーディオデータに対応する音をスピーカ４００の外部に出力させる。
【００２７】
番組表表示制御部７は、放送データ保持部４から番組情報を取得し、又は番組情報保持部１１から番組情報を取得し、取得した番組情報から番組表を生成し、画像表示制御部５を介して表示装置３００に表示させる。番組情報取得部１０及び番組情報保持部１１の詳細は後述する。サイト名表示制御部８は、サイト情報保持部１３から一つ以上の買い物サイトの名称を取得し、取得した買い物サイトの名称の一覧を画像表示制御部５を介して表示装置３００に表示させる。サイト情報保持部１３の詳細は後述する。ウェブページ情報表示制御部９は、生成部１９によって生成される取得目的情報を用いて、一つ以上の買い物サイトの中の一つにおける、与えられたキーワードに関連するウェブページの情報を取得して、画像表示制御部５を介して表示装置３００に表示させる。
【００２８】
番組情報取得部１０は、インターネット５００を介して番組情報を取得する。例えば、番組情報取得部１０は、本体１００Ａの電源がオフからオンに変化したとき、すなわち本体１００Ａが起動したとき、番組情報を取得する。また例えば、番組情報取得部１０は、番組表表示指示受付部１４が番組表を表示させる指示を受け付けたとき、番組情報を取得する。なお、番組情報は、番組表を生成するための各番組の放送開始時刻や番組名等の情報を含むとともに、各番組の番組説明等の付加的な情報を含む。番組情報保持部１１は、番組情報取得部１０によって取得された番組情報を保持する。
【００２９】
サイト情報取得部１２は、サイト情報提供装置２００の所在情報（ＵＲＬ）を保持しており、保持している所在情報に基づいて、インターネット５００を介してサイト情報提供装置２００にアクセスし、サイト情報提供装置２００から、一つ以上の買い物サイトの名称及び所在情報と、取得目的情報生成規則とを取得する。例えば、サイト情報取得部１２は、本体１００Ａの電源がオフからオンに変化したとき、すなわち本体１００Ａが起動したとき、一つ以上の買い物サイトの名称及び所在情報と、取得目的情報生成規則とを取得する。また例えば、サイト情報取得部１２は、番組表が番組表表示制御部７の制御によって表示装置３００に表示されはじめたとき、一つ以上の買い物サイトの名称及び所在情報と、取得目的情報生成規則とを取得する。また例えば、サイト情報取得部１２は、サイト名表示指示受付部１７がサイトの名称を表示させる指示を受け付けたとき、登録された買い物サイトの名称及び所在情報と、取得目的情報生成規則とを取得する。サイト情報保持部１３は、サイト情報取得部１２によって取得された全ての買い物サイトの名称及び所在情報と、取得目的情報生成規則とを保持する。買い物サイトの名称、所在情報、及び、取得目的情報生成規則の詳細は、図５を用いて後述する。
【００３０】
番組表表示指示受付部１４は、番組表を表示させる指示を受け付ける。例えば、ユーザが番組表を表示させることを目的としてリモコン１００Ｂの番組表ボタン３３を押下する。そうすると、リモコン１００Ｂに内蔵されている検出部が、番組表ボタン３３が押下されたことを検出し、リモコン１００Ｂに内蔵されている赤外線送信部が番組表を表示させる指示を赤外線により送信する。番組表表示指示受付部１４は、番組表を表示させる指示をリモコン１００Ｂから受け付け、その指示を番組表表示制御部７に出力する。番組表表示制御部７は、番組表表示指示受付部１４からの番組表を表示させる指示にしたがって、放送データ保持部４、又は番組情報保持部１１から番組情報を取得し、この番組情報から番組表を生成して、図２に示すように画像表示制御部５を介して表示装置３００の画面３００Ａに表示させる。図２は、表示装置３００の画面３００Ａに表示された番組表３０３の一例を示す図である。
【００３１】
図２において、番組表３０３が表示されている画面３００Ａには、上方の左端寄りに画面タイトル表示欄３０１が表示されており、上方の右端寄りに時刻表示欄３０２が表示されている。画面タイトル表示欄３０１には、「番組表」という文字列が表示されている。それは、画面３００Ａにおいて番組表３０３が表示されていることを示している。時刻表示欄３０２には、現在時刻が表示されている。図１には示されていないがテレビ放送受信装置１００はＲＴＣ（Ｒｅａｌ  Ｔｉｍｅ  Ｃｌｏｃｋ）を備えており、番組表表示制御部７は、ＲＴＣから現在時刻を取得し、時刻表示欄３０２に現在時刻が表示させる。ＲＴＣについては、図７を用いて後述する。
【００３２】
画面タイトル表示欄３０１及び時刻表示欄３０２の下方に、すなわち、画面３００Ａの大部分に、番組表３０３が表示されている。番組表３０３は、新聞のラジオテレビ欄に近似している。番組表３０３において、垂直軸３０４は番組の放送時間帯を示しており、水平軸３０５は放送局を示している。図２では、番組表３０３は、ＭＨＫテレビ、関東テレビ、及び横浜放送の三つの放送局の７：００台から９：００台までの各番組の名称とその放送時間帯とを示している。具体的には、図２の番組表３０３は、例えば、ＭＨＫテレビが７：００〜７：３０に「ＭＨＫニュース天気」という番組が放送し、関東テレビが８：００〜９：００に「ミュージックビデオ」という番組が放送することを示している。
【００３３】
ところで、番組表表示制御部７は、番組表３０３において、選択された何れかの一つの番組の名称を含む領域を、選択されていない番組の名称を含む領域と区別して表示させる。ユーザが特に操作していない場合であっても、番組表表示制御部７は、番組表３０３の左端の最上部の領域に記載されている名称の番組等の特定の番組が選択されているとみなし、選択されているとみなした番組の名称を含む領域を、選択されていないとみなした番組の名称を含む領域と区別して表示させる。図２では、選択されている番組の名称を含む領域は、太い実線で囲まれている。すなわち、図２の番組表３０３では、ＭＨＫテレビが７：００〜７：３０に放送する「ＭＨＫニュース天気」という番組が選択されており、番組表表示制御部７は、その番組の名称を含む領域を太い実線で囲んで表示させている。図１に戻る。
【００３４】
番組選択部１５は、表示装置３００の画面３００Ａに表示された番組表３０３の中から一つの番組の選択を受け付ける。例えば、番組選択部１５は、番組表３０３の中の一つの番組の選択をリモコン１００Ｂから受け付ける。番組選択部１５は、一つの番組の選択を受け付けると、その選択果択を番組表表示制御部７に出力する。番組表表示制御部７は、番組選択部１５からの一つの番組の選択結果にしたがって、上述したようにして、選択された番組の名称を含む領域を、その他の番組の名称を含む領域と区別して表示させる。
【００３５】
例えば、画面３００Ａに番組表３０３が表示されており、既にいずれかの番組が選択されている場合、ユーザがリモコン１００Ｂの十字キー３４のいずれかのボタンを押す。リモコン１００Ｂに内蔵されている図示されていない検出部は、ボタンが一回押下される毎に、上下左右のいずれのボタンが押下されたのかを検出し、リモコン１００Ｂに内蔵されている図示されていない赤外線送信部は、検出結果を赤外線により番組選択部１５に送信する。番組選択部１５は、リモコン１００Ｂからの検出結果を受信し、検出結果に基づいて、番組表３０３においてそれまでに選択されていた番組の名称を含む領域から上下左右のいずれかに一つ移動した領域に記載されている名称の番組が新たに選択された番組であると判断し、その番組を太い実線で囲む。
【００３６】
具体的には、図２の番組表３０３が表示されていて、太い実線で囲まれている「ＭＨＫニュース天気」という名称の番組が選択されている状況において、ユーザがリモコン１００Ｂの十字キー３４の下ボタンを２回押下したと仮定する。その場合、番組選択部１５は、図２の番組表３０３において、「ＭＨＫニュース天気」という名称を含む領域の二つ下方に存在している、ＭＨＫテレビが８：００〜９：００に放送する「日本グルメの旅」という名称の番組の選択を受け付ける。そうすると、図３に示すように、番組表表示制御部７は、「日本グルメの旅」という名称の番組が選択されていることを示すために、番組表３０３において、「日本グルメの旅」という名称を含む領域を太い実線で囲んでその他の番組の名称を含む領域と区別して表示させる。
【００３７】
抽出部１６は、放送データ保持部４によって保持されている番組情報の中から、又は、番組情報保持部１１によって保持されている番組情報の中から、番組選択部１５によって最終的に受け付けられた選択に対応する番組に関連するキーワードを抽出する。例えば、番組に関連するキーワードは、番組の名称である。抽出部１６には、番組に関連する何れの事項のデータをキーワードとして抽出すべきであるのかを特定する抽出規則があらかじめ与えられおり、抽出部１６は抽出規則にしたがって、番組に関連する何れかの事項のデータをキーワードとして抽出する。なお、その規則は、ユーザが設定してもよいし変更してもよい。
【００３８】
サイト名表示指示受付部１７は、図３に示すように特定の番組が選択されている状態を番組選択部１５が受けた後、全部の買い物サイトの名称を表示させる指示を受け付ける。ユーザが全部の買い物サイトの名称を表示させることを目的としてリモコン１００Ｂの買い物ボタン３２を押下する。そうすると、リモコン１００Ｂの検出部がリモコン１００Ｂの買い物ボタン３２が押されたことを検出し、リモコン１００Ｂの赤外線送信部が全部の買い物サイトの名称を表示させる指示を赤外線によりサイト名表示指示受付部１７に送信する。サイト名表示指示受付部１７は、全部の買い物サイトの名称を表示させる指示をリモコン１００Ｂから受け付け、その指示をサイト名表示制御部８に出力する。サイト名表示制御部８は、全部の買い物サイトの名称を表示させる指示にしたがって、サイト情報保持部１３から、保持された四つの買い物サイトの名称を取得する。そして、サイト名表示制御部８は、図４に示すように、取得した買い物サイトの名称の一覧３０８を表示装置３００の画面３００Ａの番組表３０３の上に表示させる。図４は、図３の番組表３０３の上に買い物サイトの名称の一覧３０８が表示された状態の一例を示す図である。図１に戻る。
【００３９】
サイト名選択部１８は、表示装置３００の画面３００Ａの番組表３０３の上に表示させた買い物サイトの名称の一覧３０８の中から一つのサイトの名称を選択して決定する。まずサイト名選択部１８は、買い物サイトの名称の一覧３０８の中の一つのサイトの名称の選択をリモコン１００Ｂの十字キー３４の上下ボタンのユーザ操作により受け付ける。サイト名選択部１８は、選択されたサイトの名称に応じて、どのサイトの名称が選択されているかという情報をサイト名表示制御部８に出力する。サイト名表示制御部８は、サイト名選択部１８からのどのサイトの名称が選択されているかという情報にしたがって、一覧３０８において、選択されたサイトの名称を含む領域を、その他のサイトの名称を含む領域と区別して表示させる。たとえば図４では太い実線で囲んで表示している。
【００４０】
ユーザが何も操作していない場合であっても、サイト名表示制御部８は、一覧３０８の最上部の領域に記載されているサイトの名称等の特定のサイトの名称が選択されているとし、選択しているとしたサイトの名称を含む領域を、選択されていないとしたサイトの名称を含む領域と区別して表示させる。図４では、選択されているサイトの名称を含む領域は、太い実線で囲まれている。すなわち、図４の一覧３０８では、「ラプラタ．ｃｏ．ｊｐ」というサイトの名称が選択されており、サイト名表示制御部８は、そのサイトの名称を含む領域を太い実線で囲んで表示させている。なお、図４では、選択された番組の名称を含む領域は、太い破線で囲まれている。
【００４１】
以下、上記内容を詳細に説明する。画面３００Ａに一覧３０８が表示されており、既にいずれかのサイトの名称が選択されている場合、ユーザがリモコン１００Ｂの十字キー３４の上ボタン又は下ボタンを押す。リモコン１００Ｂの検出部は、ボタンが一回押下される毎に、上下のいずれのボタンが押下されたのかを検出し、リモコン１００Ｂの赤外線送信部は、ボタンが押下された情報を赤外線により送信する。サイト名選択部１８は、リモコン１００Ｂからの押下情報を受信し、押下情報に基づいて、一覧３０８においてそれまでに選択されていたサイトの名称を含む領域から上下のいずれかに一つ移動した領域に記載されているサイトの名称が新たに選択されたサイトの名称であると判断する。そしてそれにより、サイト名選択部１８は、一覧３０８の中から一つのサイトの名称の選択を受け付け、サイト名表示制御部８は、その新たに選択されたサイトの名称を含む領域をその他のサイトの名称を含む領域と区別して表示させる。
【００４２】
具体的には、図４の一覧３０８が表示されており、太い実線で囲まれている「ラプラタ．ｃｏ．ｊｐ」というサイトの名称が選択されている状況において、ユーザがリモコン１００Ｂの十字キー３４の下ボタンを２回押下したと仮定する。その場合、サイト名選択部１８は、一覧３０８において、「ラプラタ．ｃｏ．ｊｐ」というサイトの名称を含む領域の二つ下方に存在している「値段．ｃｏｍ」というサイトの名称を選択した状態に移行する。そうすると、サイト名表示制御部８は、「値段．ｃｏｍ」というサイトの名称が選択されていることを示すために、一覧３０８において、「値段．ｃｏｍ」というサイトの名称を含む領域を太い実線で囲んでその他のサイトの名称を含む領域と区別して表示させる。
【００４３】
そしてユーザは、一覧３０８において、現在、他のサイトの名称を含む領域と区別して表示されている領域に含まれるサイトの名称を最終的に選択する一つのサイトの名称として決めると、リモコン１００Ｂの十字キー３４の中央の決定ボタンを押下する。サイト名選択部１８は、リモコン１００Ｂからの決定ボタンが押下されたことを示す信号を受信し、一覧３０８の中から最終的に一つのサイトの名称の決定を受け付ける。
【００４４】
生成部１９は、取得目的情報生成規則にしたがって、サイト名選択部１８によって最終的に決定された名称の買い物サイトにおける、抽出部１６によって抽出されたキーワードに関連するウェブページの情報を取得するための取得目的情報（ＵＲＬ）を生成する。なお、取得目的情報生成規則は、サイト情報取得部１２によって取得される情報であって、生成部１９は、サイト情報保持部１３から取得目的情報生成規則を取得する。また、生成部１９が有する取得目的情報を生成する機能は、後に図５を用いて、サイト情報取得部１２がサイト情報提供装置２００から取得する買い物サイトの名称及び所在情報と、取得目的情報生成規則とを説明する際に、併せて説明する。
【００４５】
サイトアクセス部２０は、生成部１９によって生成された取得目的情報（ＵＲＬ）を用いて、サイト名選択部１８によって決定された名称の買い物サイトにおける、抽出部１６によって抽出されたキーワードに関連するウェブページの情報をインターネット５００を介して取得し、取得した情報をウェブページ情報表示制御部９に出力する。ウェブページ情報表示制御部９は、生成部１９によって生成された取得目的情報を用いてサイトアクセス部２０によって取得された、サイト名選択部１８によって決定された名称の買い物サイトにおける、抽出部１６によって抽出されたキーワードに関連するウェブページの情報をサイトアクセス部２０から受け取り、その情報を、画像表示制御部５を介して表示装置３００の画面３００Ａに表示させる。
【００４６】
次に、リモコン１００Ｂの構成を説明する。リモコン１００Ｂは、上述したように、本体１００Ａが実行することができる処理に対するユーザの制御指示を受け付けてその指示を赤外線により本体１００Ａに送信し、その指示に対する処理を本体１００Ａに実行させる。リモコン１００Ｂは、図１に示すように、テンキー３１と、買い物ボタン３２と、番組表ボタン３３と、十字キー３４とを有する。テンキー３１は、ユーザが数字を入力するためのキーである。買い物ボタン３２は、ユーザが、本体１００Ａが表示させることができる買い物サイトの名称を表示させる指示を入力するためのボタンである。番組表ボタン３３は、ユーザが番組表を表示させる指示を入力するためのボタンである。十字キー３４は、ユーザが番組及びサイトの名称を選択するためのキーである。十字キー３４の中央には、決定ボタンが設けられている。リモコン１００Ｂには、図１には表示されていないが、上述した検出部及び赤外線送信部が内蔵されている。検出部は、ユーザが買い物ボタン３２、番組表ボタン３３、及び十字キー３４の押下を検出する。赤外線送信部は、検出部によって検出された押下されたボタンを示す信号を赤外線によって本体１００Ａに送信する。
【００４７】
次に、本実施例の最重要部であるサイト情報取得部１２が取得するサイト情報提供装置２００によって保持されている一つ以上の買い物サイトの名称及び所在情報と、取得目的情報生成規則とを図５を用いて説明する。図５は、例として四つの買い物サイトの名称及び所在情報と、取得目的情報生成規則との一例を示す図である。図５は、ｈｔｍｌ文書であって、その文書は、四つの買い物サイトの名称及び所在情報と、取得目的情報生成規則とを有している。
【００４８】
具体的には、図５のｈｔｍｌ文書では、ｈｅａｄ部に、すなわち、＜ｈｅａｄ＞から＜／ｈｅａｄ＞までに、四つのｍｅｔａタグが定義されている。各ｍｅｔａタグは、買い物サイトの名称と、そのサイトの含む所在情報とを表している。
【００４９】
より具体的には、各ｍｅｔａタグにおいて、「ｓｈｏｐｐｉｎｇ−ｓｉｔｅ１＝」に続く文字列が、買い物サイトの名称である。例えば最初のｍｅｔａタグでは、「ｓｈｏｐｐｉｎｇ−ｓｉｔｅ１＝″ラプラタ．ｃｏ．ｊｐ″」が記載されており、それは、買い物サイトの名称が「ラプラタ．ｃｏ．ｊｐ」であることを示している。図５のｈｔｍｌ文書では、四つのｍｅｔａタグから明らかなように、買い物サイトの名称として、「ラプラタ．ｃｏ．ｊｐ」と、「ｍａｈｏｏ  ｓｈｏｐｐｉｎｇ」と、「値段．ｃｏｍ」と、「ｂｉｔｔｅｒ」との四つの買い物サイトの名称が定義されている。そのため、図４を用いて説明したように、サイト名表示制御部８は、それら四つの買い物サイトの名称の一覧３０８を表示装置３００の画面３００Ａの番組表３０３の上に表示させる。ここに定義された数と同じ数の買い物サイトの名称が買い物サイトの名称の一覧３０８に表示される。
【００５０】
図５のｈｔｍｌ文書は、取得目的情報生成規則が、各ｍｅｔａタグにおいて、「ｓｔａｒｔ＝の直後の″″により挟まれている文字列」＋「キーワードをｅｎｃｏｄｅ＝の直後の″″により挟まれている文字列により指定される文字コードに変換し、更にＵＲＬエンコードして得られる文字列」＋「ｔａｉｌ＝の直後の″″により挟まれている文字列」により、四つの買い物サイトの中の一つにおける、キーワードに関連するウェブページの情報を取得するため取得目的情報を生成する規則であることを示している。キーワードは、図１の抽出部１６によって抽出される。
【００５１】
例えば、ユーザが「日本グルメの旅」という名称の番組を選択して抽出部１６がその番組の名称である「日本グルメの旅」をキーワードとして抽出し、かつ、ユーザが「ラプラタ．ｃｏ．ｊｐ」という名称の買い物サイトを選択した場合、図１の生成部１９は、図５のｈｔｍｌ文書を解析し、次のようにして、「ラプラタ．ｃｏ．ｊｐ」という名称の買い物サイトにおける、「日本グルメの旅」というキーワードに関連するウェブページの情報を取得するための取得目的情報を生成する。
【００５２】
図５のｈｔｍｌ文書から明らかなように、「ラプラタ．ｃｏ．ｊｐ」という名称の買い物サイトのｍｅｔａタグは、
<meta encode="SJIS" shopping-site1="ラプラタ.co.jp"
start="http://www.laplata.co.jp/s/keywords=" tail="" />
である。
【００５３】
「ｍｅｔａタグのｓｔａｒｔ＝の直後の″″により挟まれている文字列」が
「start="http://www.laplata.co.jp/s/keywords="」
であるので、生成部１９は、「ｓｔａｒｔ＝の直後の″″により挟まれている文字列」として、ｍｅｔａタグから
「http://www.laplata.co.jp/s/keywords=」
を抽出する。
【００５４】
次に、ｍｅｔａタグの「ｅｎｃｏｄｅ＝の直後の″″により挟まれている文字列」が″ＳＪＩＳ″であるので、キーワードを変換する際の文字コードは「シフトＪＩＳ」である。そのため、生成部１９は、抽出部１６によってキーワードとして抽出された「日本グルメの旅」を「シフトＪＩＳ」の文字コードで表す。すなわち、生成部１９は、キーワード「日本グルメの旅」を
「0x93,0xfa,0x96,0x7b,0x83,0x4f,0x83,0x8b,0x83,0x81,0x82,0xcc,0x97,0xb7」
に変換する。なお、「0x93,・・・,0xb7」は、Ｃ言語における１６進数の表記方法を用いて記載している。更に、生成部１９は、指定された文字コードにより得られた文字列をＵＲＬエンコードする。上記の例では「%93%fa%96%7b%83O%83%8b%83%81%82%cc%97%b7」という文字列を生成する。また、上述したように、指定される文字コードは、買い物サイト毎にｍｅｔａタグ内において定義されており、「ｍａｈｏｏ  ｓｈｏｐｐｉｎｇ」という名称の買い物サイトについては、指定される文字コードは「ＥＵＣ（Ｅｘｔｅｎｄｅｄ Ｕｎｉｘ Ｃｏｄｅ；“Ｕｎｉｘ”は登録商標である。）」である。
【００５５】
次に、生成部１９は、ｍｅｔａタグの「ｔａｉｌ＝の直後の″″により挟まれている文字列」は存在していないことを認識する。
【００５６】
最後に、生成部１９は、取得目的情報生成規則にしたがって、「ラプラタ．ｃｏ．ｊｐ」という名称の買い物サイトにおける「日本グルメの旅」というキーワードに関連するウェブページの情報を取得するための取得目的情報として、
「http://www.laplata.co.jp/s/keywords= %93%fa%96%7b%83O%83%8b%83%81%82%cc%97%b7」
を生成する。なお、本実施の形態では、取得目的情報は、ユーザによって選択された買い物サイトにおける、抽出部１６によって抽出されたキーワードに関連するウェブページを検索結果を得るためのＵＲＬである。
【００５７】
サイトアクセス部２０は、生成部１９によって生成された取得目的情報を用いて、「ラプラタ．ｃｏ．ｊｐ」という名称の買い物サイトにおける「日本グルメの旅」というキーワードに関連するウェブページの情報を取得する。すなわち本実施の形態では、サイトアクセス部２０は、生成部１９によって生成された取得目的情報を用いて、「ラプラタ．ｃｏ．ｊｐ」という名称の買い物サイトにおける「日本グルメの旅」というキーワードに関連するウェブページの検索結果を取得する。ウェブページ情報表示制御部９は、図６に示すように、サイトアクセス部２０によって取得された情報を画像表示制御部５を介して表示装置３００の画面３００Ａに表示させる。図６は、「ラプラタ．ｃｏ．ｊｐ」という名称の買い物サイトにおける「日本グルメの旅」というキーワードに関連するウェブページの検索結果の例を示す図である。
【００５８】
図６のウェブページの情報の表示において、最上方に、買い物サイトの名称表示欄６０１が設けられており、買い物サイトの名称表示欄６０１に「ラプラタ．ｃｏ．ｊｐ」が表示されている。買い物サイトの名称表示欄６０１の下方に、キーワード表示欄６０２が設けられており、キーワード表示欄６０２に「日本グルメの旅」が表示されている。また、図６のウェブページの情報の表示において、検索ボタン６０３が表示されている。検索ボタン６０３は、元々は買い物サイトの名称表示欄６０１において表示されている名称の買い物サイトにおいて、キーワード表示欄６０２において表示されているキーワードに関連するウェブページの情報を検索させるためのボタンであるが、今回はＵＲＬを指定することにより直接検索するので使用しない。
【００５９】
また、図６のウェブページの情報の表示において、キーワード表示欄６０２及び検索ボタン６０３の下方に、検索件数表示欄６０４が設けられている。検索件数表示欄６０４には、生成部１９によって生成された取得目的情報を用いて行った検索により得られた件数が表示されている。より具体的には、検索件数表示欄６０４には、全ての検索件数と、全ての検索件数のうちの現在表示されている件数とが表示されている。
【００６０】
更に、検索件数表示欄６０４の下方に、検索結果表示欄６０５が設けられており、検索結果表示欄６０５には、生成部１９によって生成された取得目的情報を用いて行った検索により得られた結果が表示されている。すなわち、検索結果表示欄６０５には、「ラプラタ．ｃｏ．ｊｐ」という名称の買い物サイトにおける「日本グルメの旅」というキーワードに関連するウェブページの検索結果が表示されている。より具体的には、全ての検索結果のうちの現在表示されている件数に対応する検索結果が表示されている。図６では、検索結果表示欄６０５には三つの検索結果が表示されており、それらのうちの一番上の「横浜菓子店」が選択されている。選択されているので、「横浜菓子店」は太字で表示されている。ユーザは、リモコン１００Ｂの十字キー３４の上下キーを押すことにより、ＰＣにより情報検索を行った場合と同様にして、所望の選択肢を選択することができる。なお、検索結果表示欄６０５の右端に、上下スクロールバー６０６が設けられている。上下スクロールバー６０６は、ＰＣにより情報検索を行ったときに得られる検索結果が表示される際のバーと同様なバーであって、検索結果表示欄６０５に表示されている情報が全体のどの位置の情報であるのかを示す。図６では、上下スクロールバー６０６は、全部の検索結果のうちの先頭付近の検索結果が表示されていることを示している。
【００６１】
買い物サイトの名称表示欄６０１において表示されている名称の買い物サイトにおいて、キーワード表示欄６０２において表示されているキーワードに関連するウェブページの情報を検索させるためには、通常の場合は、検索ボタン６０３を押下する必要がある。しかしながら、生成部１９は、「ラプラタ．ｃｏ．ｊｐ」という名称の買い物サイトにおける「日本グルメの旅」というキーワードに関連するウェブページを検索するための取得目的情報を生成する。これにより、ユーザは文字列を入力することなく、かつ、検索ボタン６０３を押下することなく、「ラプラタ．ｃｏ．ｊｐ」という名称の買い物サイトにおける「日本グルメの旅」というキーワードに関連するウェブページの検索結果を取得させることができる。言い換えると、生成部１９が取得目的情報を生成したことにより、「ラプラタ．ｃｏ．ｊｐ」という名称の買い物サイトにおける「日本グルメの旅」というキーワードに関連するウェブページの検索結果を取得させる状況を、ユーザは文字列を入力することなく、かつ、検索ボタン６０３を押下することなく実現させることができる。
【００６２】
上述したように、図１は、テレビ放送受信装置１００が有する機能に着目した実施の形態１のテレビ放送システムの構成図である。テレビ放送受信装置１００が有するハードウェアに着目すると、実施の形態１のテレビ放送システムの構成は、図７に示すように表現される。図７は、テレビ放送受信装置１００が有するハードウェアに着目したときの、実施の形態１のテレビ放送システムの構成図である。
【００６３】
ハードウェアに着目すると、テレビ放送受信装置１００は、チューナ５１と、デスクランブラ５２と、デマルチプレクサ５３と、デマルチプレクサ用ＲＡＭ５４と、ビデオデコーダ５５と、オーディオデコーダ５６と、グラフィックス５７と、ＣＰＵ５８と、ＲＯＭ５９と、ＲＡＭ６０と、フラッシュメモリ６１と、ＲＴＣ６２と、リモコンＩ／Ｆ６３と、ｅｔｈｅｒｎｅｔＩ／Ｆ６４と、バス６５とを有する。テレビ放送受信装置１００のバス６５以外の全てのハードウェアは、バス６５に接続されている。
【００６４】
図７と図１と比較すると、チューナ５１は、ＵＨＦアンテナ７００からデジタルのテレビ放送信号を受信して、図１の受信部１の機能を実現する。デスクランブラ５２は、図１のデスクランブル部２の機能を実現する。デマルチプレクサ５３は、図１の分離部３の機能を実現する。デマルチプレクサ用ＲＡＭ５４は、図１の放送データ保持部４の機能を実現する。ビデオデコーダ５５は、図１の画像表示制御部５の機能を実現する。オーディオデコーダ５６は、図１の音出力制御部６の機能を実現する。
【００６５】
グラフィックス５７は、図１の画像表示制御部５の機能の一部と、番組表表示制御部７、サイト名表示制御部８、及び、ウェブページ情報表示制御部９の機能とを実現する。ＣＰＵ５８は、フラッシュメモリ６１に記憶されているプログラムを実行することにより、必要に応じて、図１のテレビ放送受信装置１００内の各構成部の機能を実現させる。ＲＯＭ５９は、文字を表示する際に用いるフォント情報などを格納する。ＲＡＭ６０は、図１の番組情報保持部１１及びサイト情報保持部１３の機能を実現する。フラッシュメモリ６１は、電源が切られてもそれまでに記憶した情報を記憶し続けるメモリであり、上記プログラムの他に、例えばユーザがどのチャンネルを選択してどの番組を視聴したのかを示す情報等を記憶する。
【００６６】
ＲＴＣ６２は、図１には表示されていないハードウェアである。ＲＴＣ６２は、内部に水晶発信器を有している時計である。ただし、ＲＴＣ６２は、テレビ放送信号から時刻情報を取得する時計であってもよいし、インターネット５００を介して時刻情報を取得する時計であってもよい。リモコンＩ／Ｆ６３は、ＣＰＵ５８と協調して番組表表示指示受付部１４、番組選択部１５、サイト名表示指示受付部１７、及び、サイト名選択部１８の機能を実現する。ｅｔｈｅｒｎｅｔＩ／Ｆ６４は、ＣＰＵ５８と協調して番組情報取得部１０、サイト情報取得部１２、及び、サイトアクセス部２０の機能を実現する。より具体的には、ｅｔｈｅｒｎｅｔＩ／Ｆ６４は、ＣＰＵ５８と協調してｅｔｈｅｒｎｅｔ８００を介してインターネット５００に接続し、ＴＣＰ／ＩＰ又はＨＴＴＰ等の通信プロトコルにしたがって、番組情報取得部１０、サイト情報取得部１２、及び、サイトアクセス部２０の機能を実現する。
【００６７】
次に、テレビ放送受信装置１００の動作の流れを図８を用いて説明する。図８は、テレビ放送受信装置１００の動作の各手順を示すフローチャートである。
【００６８】
先ず、受信部１は、ユーザが視聴するテレビ番組のチャンネルの選択をユーザから受け付け、デジタルのテレビ放送信号を受信し、受信したテレビ放送信号の中からユーザによって選択されたチャンネルの信号を抽出してデスクランブル部２に出力する（Ｓ１）。デスクランブル部２は、受信部１からのテレビ放送信号がスクランブル処理された信号である場合、デスクランブル処理を行って、デスクランブル処理したテレビ放送信号を分離部３に出力する。他方、受信部１が出力するテレビ放送信号がスクランブル処理されていない信号である場合、デスクランブル部２は、受信部１からのテレビ放送信号をそのままの状態で分離部３に出力する。分離部３は、デスクランブル部２からのデジタルのテレビ放送信号を、ビデオデータと、オーディオデータと、番組情報とに分割してそれらを別々に放送データ保持部４に蓄積する。
【００６９】
画像表示制御部５は、分離部３からビデオデータを受け取って復号し、復号したビデオデータに対応する画像を表示装置３００に表示させる（Ｓ２）。音出力制御部６は、分離部３からのオーディオデータを受け取って復号し、復号したオーディオデータに対応する音をスピーカ４００の外部に出力させる（Ｓ２）。
【００７０】
サイト情報取得部１２は、インターネット５００を介してサイト情報提供装置２００にアクセスし、サイト情報提供装置２００から、登録されている一つ以上の買い物サイトの名称及び所在情報と、取得目的情報生成規則とを取得する（Ｓ３）。サイト情報保持部１３は、サイト情報取得部１２によって取得された登録されている一つ以上の買い物サイトの名称及び所在情報と、取得目的情報生成規則とを保持する。
【００７１】
番組表表示指示受付部１４は、番組表を表示させる指示を受け付ける。番組表表示制御部７は、番組表表示指示受付部１４からの番組表を表示させる指示にしたがって、放送データ保持部４、又は番組情報保持部１１から番組情報を取得し、この取得した番組情報に基づいて番組表を生成する。そして、図２に示すように、生成した番組表を画像表示制御部５を介して表示装置３００の画面３００Ａに表示させる（Ｓ４）。番組選択部１５は、表示装置３００の画面３００Ａに表示された番組表３０３の中から一つの番組の選択と決定を受け付ける（Ｓ５）。抽出部１６は、放送データ保持部４又は番組情報保持部１１によって保持されている番組情報の中から、番組選択部１５によって最終的に選択され決定された番組に関連するキーワードを抽出する（Ｓ６）。
【００７２】
サイト名表示指示受付部１７は、全部の買い物サイトの名称を表示させる指示を受け付け、サイト名表示制御部８は、全部の買い物サイトの名称を表示させる指示にしたがって、サイト情報保持部１３から登録されている一つ以上の買い物サイトの名称を取得する。そして、サイト名表示制御部８は、図４に示すように、取得した登録されている買い物サイトの名称の一覧３０８を画像表示制御部５を介して表示装置３００の画面３００Ａの番組表３０３の上に表示させる（Ｓ７）。サイト名選択部１８は、画面３００Ａに表示させた登録されている一つ以上の買い物サイトの名称の一覧３０８の中から一つのサイトの名称の選択と決定を受け付ける（Ｓ８）。
【００７３】
生成部１９は、本実施例の最重要部であり、サイト情報取得部１２によって取得された取得目的情報生成規則にしたがって、サイト名選択部１８によって最終的に決定された名称の買い物サイトにおける、抽出部１６によって抽出されたキーワードに関連するウェブページの情報を取得するための取得目的情報（ＵＲＬ）を生成する（Ｓ９）。サイトアクセス部２０は、生成部１９によって生成された取得目的情報（ＵＲＬ）を用いて、サイト名選択部１８によって最終的に決定された名称の買い物サイトにおける、抽出部１６によって抽出されたキーワードに関連するウェブページの情報をインターネット５００を介して取得する（Ｓ１０）。ウェブページ情報表示制御部９は、取得目的情報（ＵＲＬ）を用いて取得された、サイト名選択部１８によって最終的に決定された名称の買い物サイトにおける、抽出部１６によって抽出されたキーワードに関連するウェブページの情報を画像表示制御部５を介して表示装置３００の画面３００Ａに表示させる（Ｓ１１）。
【００７４】
上述したように、テレビ放送受信装置１００は、番組表を表示させ、番組表の中から一つの番組を選択して決定し、選択し決定された番組に関連するキーワードを番組表から抽出する。そして、テレビ放送受信装置１００は、ユーザからの買い物サイトの表示の指示を受けて登録されている一つ以上の買い物サイトの名称を表示させ、その中から一つの買い物サイトの名称を選択し決定する。そして、テレビ放送受信装置１００は、選択し決定された番組に関連して抽出したキーワードと、選択し決定された名称の買い物サイトにおける、抽出したキーワードに関連するウェブページの情報を取得するための取得目的情報（ＵＲＬ）を生成する。このように、テレビ放送受信装置１００は、たとえ同じ買い物サイトに対してクエリ文字列の構成が時間とともに変わっても、図５のサイト情報提供装置の定義さえ変更すれば一意のサイトにアクセスすることができる。また図５の定義を追加削除することで買い物サイトの名称の一覧３０８で表示させる買い物サイトの名称の数を変更できる。更にユーザに文字を入力させることなくユーザが視聴している番組に関連するキーワードに関連するウェブページの情報をユーザによって選択された買い物サイトから取得するための取得目的情報を生成することができる。つまり、テレビ放送受信装置１００は、番組情報を元にインターネットを用いて検索を行う際、ユーザの利便性を従来より高めることを実現している。
【００７５】
なお、上述した実施の形態１では、図１によりテレビ放送受信装置１００の機能的な構成を表現し、図７によりテレビ放送受信装置１００のハードウェアの構成を表現した。しかしながら、テレビ放送受信装置１００及びサイト情報提供装置２００の各構成部の機能は、例えばコンピュータのＣＰＵ（プロセッサ）及びメモリ等のハードウェアと、その機能を実現するためのコンピュータプログラムとが協働することによって実現されてもよい。又は、上記各機能は、専用の回路により実現されてもよく、どのような形態により実現されてもよい。また、本実施の形態のテレビ放送受信装置１００及びサイト情報提供装置２００の全部の構成部の１個又は複数個の機能を実現するためのコンピュータプログラムは、記録媒体に格納されてもよい。
【００７６】
また、図５を用いて説明したように、登録されている買い物サイトの名称及び所在情報と、取得目的情報生成規則とは、ｈｔｍｌ文書に含まれると限定されない。登録されている買い物サイトの名称及び所在情報と、取得目的情報生成規則とは、ｘｍｌ文書等の他の形態であってもよい。
【００７７】
また、実施の形態１では、買い物サイトとして四つの買い物サイトを具体的に挙げて説明したが、買い物サイトの数はどのような数であってもよい。また、実施の形態１では、買い物サイトの名称を表示装置３００の画面３００Ａに表示させる際、リモコン１００Ｂの買い物ボタンを用いる例を説明したが、その他の手段が用いられてもよい。例えば、ＧＵＩを画面３００Ａに表示させ、ＧＵＩを操作して買い物サイトの名称を表示装置３００の画面３００Ａに表示させる手段が用いられてもよい。
【００７８】
また、生成部１９が取得目的情報を生成するために用いられる取得目的情報生成規則は、上述した規則に限定されない。例えば、買い物サイトとキーワードの配置が置き換えられる規則であってもよいし、文字列の一部を暗号化させる規則であってもよい。要するに、取得目的情報生成規則は、ユーザによって選択されたサイトにおける、抽出部１６によって抽出されたキーワードに関連するウェブページの情報を取得するための取得目的情報が生成するための規則であればよい。
【００７９】
更に、取得目的情報としてＵＲＬを使用する例を説明してきたが、これに限らず、ＵＲＬとＵｓｅｒ  Ａｇｅｎｔとを組み合わせた情報など、他の情報を用いても良い。
【００８０】
また、抽出部１６が抽出するキーワードは、番組の名称に限定されない。キーワードは、番組の出演者や、番組の撮影が行われた土地の名称等であってもよい。更に、買い物サイトは、別の種類のウェブサイトに置き換えられてもよい。例えば、買い物サイトは、出演者のホームページ等に置き換えられてもよい。
【００８１】
（実施の形態２）
次に、実施の形態２のテレビ放送システムの構成を図９を用いて説明する。図９は、実施の形態２のテレビ放送システムの構成図である。
【００８２】
図９に示すように、実施の形態２のテレビ放送システムの構成は、実施の形態１のテレビ放送システムの構成とほぼ同様である。しかしながら、以下の点において、実施の形態２のテレビ放送システムは、実施の形態１のテレビ放送システムと異なる。実施の形態２では、実施の形態１との相違点を主に説明する。
【００８３】
図９に示すように、実施の形態２のテレビ放送システムは、テレビ放送受信装置１０１と、取得目的情報生成装置２０１とを有する。実施の形態２のテレビ放送受信装置１０１は、実施の形態１のテレビ放送受信装置１００が有している大部分の構成部を有しているが、生成部１９を有していない。その代わりに、取得目的情報生成装置２０１が、生成部１９と同様の機能を有する生成部８３を有している。また、取得目的情報生成装置２０１は、実施の形態１のサイト情報提供装置２００が保持している情報と同様の情報を保持部８２により保持している。しかしながら、保持部８２が保持している情報の構成は、実施の形態１のサイト情報提供装置２００が保持している情報の構成と異なる。また、取得目的情報生成装置２０１は、通信部８１を有している。
【００８４】
取得目的情報生成装置２０１の保持部８２は、四つの買い物サイトの名称及び所在情報と、それら登録されている一つ以上の買い物サイトの中の一つにおける、与えられたキーワードに関連するウェブページの情報を取得するための取得目的情報を生成するための取得目的情報生成規則とを保持している。保持部８２は、登録されている買い物サイトの名称と、それらの所在情報と、取得目的情報生成規則とを一つの文書ではなく、別個に保持している。図１０は、保持部８２が、登録されている買い物サイトの名称と、取得目的情報生成規則とを別個に保持していることを示す図である。具体的には、図１０は、保持部８２が、登録されている一つ以上の買い物サイトの名称を特定するｓｈｏｐｐｉｎｇｓｉｔｅ．ｈｔｍｌの文書ファイルと、取得目的情報生成規則を定義しているＵＲＬｔｒａｎｓｆｅｒ．ｈｔｍｌの文書ファイルとを別個に保持していることを示す図である。
【００８５】
保持部８２が保持している登録されている買い物サイトの名称を図１１を用いて説明する。図１１は、保持部８２が保持している四つの買い物サイトの名称を特定するｓｈｏｐｐｉｎｇｓｉｔｅ．ｈｔｍｌの文書ファイルの内容を示す図である。図１１と図５とを比較すると明らかなように、ｓｈｏｐｐｉｎｇｓｉｔｅ．ｈｔｍｌの文書ファイルは、図５の各ｍｅｔａタグから「ｓｈｏｐｐｉｎｇ−ｓｉｔｅ１」により定義された文字列だけを含んでいる。
【００８６】
実施の形態２のテレビ放送受信装置１０１のサイト情報取得部１２は、登録されている一つ以上の買い物サイトの名称を取得する目的でインターネット５００を介して取得目的情報生成装置２０１にアクセスする。その際、取得目的情報生成装置２０１の通信部８１は、保持部８２によって保持されている図１１のｓｈｏｐｐｉｎｇｓｉｔｅ．ｈｔｍｌの文書ファイルをインターネット５００を介してサイト情報取得部１２に送信する。サイト情報取得部１２は、取得目的情報生成装置２０１の通信部８１からの図１１のｓｈｏｐｐｉｎｇｓｉｔｅ．ｈｔｍｌの文書ファイルを受信し、その文書ファイルに四つの買い物サイトの名称が存在していることを解析し、それら四つの買い物サイトの名称をサイト情報保持部１３に格納する。サイト名表示指示受付部１７は、サイト情報保持部１３に格納された四つの買い物サイトの名称を画像表示制御部５を介して表示装置３００の画面３００Ａに表示させる。
【００８７】
実施の形態１と同様にして、抽出部１６がキーワードを抽出し、サイト名選択部１８が一つの買い物サイトの名称を受け付ける。そうすると、サイトアクセス部２０は、インターネット５００を介して、取得目的情報生成装置２０１の保持部８２が保持しているＵＲＬｔｒａｎｓｆｅｒ．ｈｔｍｌの文書ファイルにアクセスする。ＵＲＬｔｒａｎｓｆｅｒ．ｈｔｍｌの文書ファイルは、上述したように、取得目的情報生成規則を定義しているファイルである。
【００８８】
その際、サイトアクセス部２０は、取得目的情報生成装置２０１に取得目的情報を生成させるために、サイト名選択部１８によって選択し決定された一つの買い物サイトの名称と、抽出部１６によって抽出されたキーワードとをアクセス情報に付加して取得目的情報生成装置２０１の保持部８２が保持しているＵＲＬｔｒａｎｓｆｅｒ．ｈｔｍｌの文書ファイルにアクセスする。具体的には、サイトアクセス部２０は、ＵＲＬｔｒａｎｓｆｅｒ．ｈｔｍｌの文書ファイルのＵＲＬのクエリーストリングに、買い物サイトの名称と抽出されたキーワードとを引数として設定する。
【００８９】
より具体的には、ＵＲＬｔｒａｎｓｆｅｒ．ｈｔｍｌの文書ファイルのＵＲＬが
「http://www.URLServer.co.jp/URLtransfer.html」であると仮定すると、サイトアクセス部２０は、よりわかりやすくするためにあえてＵＲＬｔｒａｎｓｆｅｒ．ｈｔｍｌの文書ファイルのＵＲＬをＵＲＬエンコードする前の状態で記載したとき、そのＵＲＬが例えば
「http://www.URLServer.co.jp/URLtransfer.html?site=ラプラタ.co.jp&program=日本グルメの旅」となるように、ＵＲＬｔｒａｎｓｆｅｒ．ｈｔｍｌの文書ファイルのＵＲＬのクエリーストリングに、買い物サイトの名称と抽出されたキーワードとを引数として設定する。上記の例では、サイトアクセス部２０は、第１のｑｕｅｒｙであるｓｉｔｅ＝に買い物サイトの名称である「ラプラタ．ｃｏ．ｊｐ」を設定し、第２のｑｕｅｒｙであるｐｒｏｇｒａｍ＝キーワードである番組の名称「日本グルメの旅」を設定する。
【００９０】
サイトアクセス部２０は、最終的には、
「http://www.URLServer.co.jp/URLtransfer.html?site=ラプラタ.co.jp&program=日本グルメの旅」をＵＲＬエンコードして、ＵＲＬｔｒａｎｓｆｅｒ．ｈｔｍｌの文書ファイルのＵＲＬのクエリーストリングに、買い物サイトの名称と抽出されたキーワードとを引数として設定したＵＲＬを生成する。すなわち、サイトアクセス部２０は、最終的には、
「http://www.URLServer.co.jp/URLtransfer.html?site=%3d%83%89%83v%83%89%83%5e.co.jp&program=%93%fa%96%7b%83O%83%8b%83%81%82%cc%97%b7」
というＵＲＬを生成する。そして、サイトアクセス部２０は、生成したＵＲＬを用いて、取得目的情報生成装置２０１の保持部８２が保持しているＵＲＬｔｒａｎｓｆｅｒ．ｈｔｍｌの文書ファイルにアクセスする。
【００９１】
本実施例の要部である取得目的情報生成装置２０１では、通信部８１が、サイトアクセス部２０によってアクセスされたＵＲＬの中のｑｕｅｒｙ文字列を生成部８３に出力する。生成部８３は、そのＵＲＬを解析して第１のｑｕｅｒｙと第２のｑｕｅｒｙとを抽出し、保持部８２によって保持されている取得目的情報生成規則にしたがって、実施の形態２のテレビ放送受信装置１０１のサイト名選択部１８によって受け付けられた名称の買い物サイトにおける、抽出部１６によって抽出されたキーワードに関連するウェブページの情報を取得するための取得目的情報を生成する。そして、通信部８１が、生成部８３によって生成された取得目的情報（ＵＲＬ）に移行するようなｈｔｍｌ文書としてインターネット５００を介してテレビ放送受信装置１０１に送信する。テレビ放送受信装置１０１のサイトアクセス部２０は、取得目的情報生成装置２０１からの取得目的情報を受信し、その取得目的情報を用いて、実施の形態１と同様に、サイト名選択部１８によって選択し決定された名称の買い物サイトにおける、抽出部１６によって抽出されたキーワードに関連するウェブページの情報を取得する。
【００９２】
以下に、生成部８３が取得目的情報を生成する際の動作を図１２を用いて説明する。図１２は、実施の形態２の取得目的情報生成装置２０１の生成部８３が取得目的情報を生成する際の動作の各手順を示す第１のフローチャートである。
【００９３】
先ず、生成部８３は、実施の形態２のテレビ放送受信装置１０１が取得目的情報生成装置２０１にアクセスした際に用いたＵＲＬの中のｑｕｅｒｙ文字列をＵＲＬデコードする（Ｓ２１）。すなわち、生成部８３は、
「site=%3d%83%89%83v%83%89%83%5e.co.jp&program=%93%fa%96%7b%83O%83%8b%83%81%82%cc%97%b7」をＵＲＬデコードする（Ｓ２１）。
【００９４】
次に、生成部８３は、Ｓｉｔｅ＝で始まる第１のｑｕｅｒｙ文字列の要素と、ｐｒｏｇｒａｍ＝で始まる第２のｑｕｅｒｙの文字列の要素とを抽出する（Ｓ２２）。すなわち、生成部８３は、第１のｑｕｅｒｙ文字列の要素として買い物サイトの名称である「ラプラタ．ｃｏ．ｊｐ」を抽出するとともに、第２のｑｕｅｒｙ文字列の要素としてキーワードである番組の名称である「日本グルメの旅」を抽出する（Ｓ２２）。
【００９５】
次に、生成部８３は、保持部８２によって保持されている取得目的情報生成規則にしたがって、サイト名選択部１８によって選択し決定された名称の買い物サイトにおける、抽出部１６によって抽出されたキーワードに関連するウェブページの情報を取得するための取得目的情報（ＵＲＬ）を生成する（Ｓ２３）。生成部８３は、実施の形態１の生成部１９が行ったアルゴリズムを用いて取得目的情報を生成してもよいし、その他のアルゴリズムを用いて取得目的情報を生成してもよい。生成部８３はこのアルゴリズムを実行する手段として自由度が高いＣＧＩプログラムやサーブレットを用いて取得目的情報を生成してもよい。
【００９６】
生成部８３が実施の形態１の生成部１９が行ったアルゴリズムを用いて取得目的情報を生成する場合の取得目的情報を生成する際の動作を図１３を用いて説明する。図１３は、実施の形態２の取得目的情報生成装置２０１の生成部８３が取得目的情報を生成する際の動作の各手順を示す第２のフローチャートである。
【００９７】
先ず、生成部８３は、買い物サイトの名称が「ラプラタ．ｃｏ．ｊｐ」であるか否かを判断し（Ｓ３１）、買い物サイトの名称が「ラプラタ．ｃｏ．ｊｐ」であると判断した場合（Ｓ３１でＹｅｓ）、
＜「http://www.laplata.co.jp/s/keywords=」＋番組名＞をＳＪＩＳに変換して、更にＵＲＬエンコードした文字列を取得目的情報として生成する（Ｓ３２）。
【００９８】
生成部８３は、ステップＳ３１において、買い物サイトの名称が「ラプラタ．ｃｏ．ｊｐ」ではないと判断した場合（Ｓ３１でＮｏ）、買い物サイトの名称が「ｍａｈｏｏ  ｓｈｏｐｐｉｎｇ」であるか否かを判断し（Ｓ３３）、買い物サイトの名称が「ｍａｈｏｏ  ｓｈｏｐｐｉｎｇ」であると判断した場合（Ｓ３３でＹｅｓ）、
＜「http://www.shopping.co.jp/search?P=」＋番組名＞をＥＵＣに変換して、更にＵＲＬエンコードした文字列を取得目的情報として生成する（Ｓ３４）。
【００９９】
生成部８３は、ステップＳ３３おいて、買い物サイトの名称が「ｍａｈｏｏ  ｓｈｏｐｐｉｎｇ」ではないと判断した場合（Ｓ３３Ｎｏ）、買い物サイトの名称が「値段．ｃｏｍ」であるか否かを判断し（Ｓ３５）、買い物サイトの名称が「値段．ｃｏｍ」であると判断した場合（Ｓ３５でＹｅｓ）、
＜「http://nedan.com/tv/search/kw=」の文字列＞をＵＲＬエンコードし取得目的情報として生成する（Ｓ３６）。
【０１００】
生成部８３は、ステップＳ３５おいて、買い物サイトの名称が「値段．ｃｏｍ」ではないと判断した場合（Ｓ３５でＮｏ）、買い物サイトの名称が「ｂｉｔｔｅｒ」であるか否かを判断し（Ｓ３７）、買い物サイトの名称が「ｂｉｔｔｅｒ」であると判断した場合（Ｓ３７でＹｅｓ）、
＜「http://www.bitter.co.jp/dap/sv/list1?keyword=」＞の文字列をＵＲＬエンコードし取得目的情報として生成する（Ｓ３８）。
【０１０１】
生成部８３は、ステップＳ３７おいて、買い物サイトの名称が「ｂｉｔｔｅｒ」ではないと判断した場合（Ｓ３７で５Ｎｏ）、買い物サイトの名称が不明であることを示す取得目的情報を生成する（Ｓ３９）。図１２に戻る。
【０１０２】
図１２のステップＳ２３の次のステップＳ２４において、生成部８３は、ステップＳ２３において生成した取得目的情報（ＵＲＬ）へ移行するようなｈｔｍｌ文書を生成する。具体的にはｈｔｍｌ文書のｈｅａｄ要素の中に、下記の式（１）
<meta http-equiv="Refresh" content="0;URL=取得目的情報（URL）">・・・（１）
を記述し、式（１）が含まれていて式（１）の文字列がリンクされたｈｔｍｌ文書を生成する（Ｓ２４）。
【０１０３】
最後に、通信部８１は、式（１）が含まれたｈｔｍｌ文書を、すなわち取得目的情報が含まれているｈｔｍｌ文書を、インターネット５００を介してテレビ放送受信装置１０１に送信する。テレビ放送受信装置１０１のサイトアクセス部２０は、取得目的情報生成装置２０１からの取得目的情報へ移行する情報が含まれているｈｔｍｌ文書を受信し、そのｈｔｍｌ文書を解釈実行して、実施の形態１と同様に、サイト名選択部１８によって受け付けられた名称の買い物サイトにおける、抽出部１６によって抽出されたキーワードに関連するウェブページの情報を取得する。すなわちサイトアクセス部２０は通常のｈｔｍｌブラウザとして動作する。これにより、サイトアクセス部２０は、図６に示す「ラプラタ．ｃｏ．ｊｐ」という名称の買い物サイトにおける「日本グルメの旅」というキーワードに関連するウェブページの情報を取得する。
【０１０４】
上述したように実施の形態２では、テレビ放送受信装置１０１ではなく取得目的情報生成装置２０１が、取得目的情報を生成する。実施の形態２においては、実施の形態１よりも更に自由度が高いアルゴリズムで取得目的情報を生成することができ、かつ、取得目的情報生成装置２０１の生成部８３のみを変更することで生成のアルゴリズムを変更することが可能となる。また、ユーザに文字を入力させることなくユーザが視聴している番組に関連するキーワードに関連するウェブページの情報をユーザによって選択された買い物サイトから取得するための取得目的情報を生成させることができる。
【０１０５】
なお、上述した実施の形態２においても、テレビ放送受信装置１０１及び取得目的情報生成装置２０１の各構成部の機能は、例えばコンピュータのＣＰＵ（プロセッサ）及びメモリ等のハードウェアと、その機能を実現するためのコンピュータプログラムとが協働することによって実現されてもよい。又は、上記各機能は、専用の回路により実現されてもよく、どのような形態により実現されてもよい。また、本実施の形態のテレビ放送受信装置１０１及び取得目的情報生成装置２０１の全部の構成部の１個又は複数個の機能を実現するためのコンピュータプログラムは、記録媒体に格納されてもよい。
【０１０６】
また、取得目的情報を用いることによって取得される情報がユーザによって選択された買い物サイトにおける、ユーザが視聴している番組に関連するキーワードに関連するウェブページの検索結果である場合、取得目的情報は、検索結果取得目的情報といえる。
【０１０７】
（実施の形態３）
次に、実施の形態３のテレビ放送システムの構成を図１４を用いて説明する。図１４は、実施の形態３のテレビ放送システムの構成図である。
【０１０８】
図１４に示すように、実施の形態３のテレビ放送システムの構成は、実施の形態１のテレビ放送システムの構成とほぼ同様である。しかしながら、以下の点において、実施の形態３のテレビ放送システムは、実施の形態１のテレビ放送システムと異なる。実施の形態３では、実施の形態１との相違点を主に説明する。
【０１０９】
図１４に示すように、実施の形態３のテレビ放送システムは、テレビ放送受信装置１０２と、サイト情報提供装置２００とを有する。実施の形態３のテレビ放送受信装置１０２は、実施の形態１のテレビ放送受信装置１００が有している全ての構成部を有するとともに、テレビ放送受信装置１０２の個体識別情報としての固有のクエリ文字列を保持する識別情報保持部９１をも有している。また、図１４には、銀行サイト９００が表示されている。
【０１１０】
実施の形態１では、生成部１９は、取得目的情報を生成する際、サイト名選択部１８によって選択し決定された一つの買い物サイトの名称と、抽出部１６によって抽出されたキーワードとを用いて取得目的情報を生成する。それに対して実施の形態３では、生成部１９は、識別情報保持部９１によって保持されている固有のクエリ文字列をも用いて取得目的情報を生成する。そして、この生成した取得目的情報を用いて買い物サイトにアクセスする。なお、上記の「固有」とは、テレビ放送受信機一台一台毎に「固有」であっても良いし、機種毎に「固有」であっても良い。
【０１１１】
取得目的情報を生成するための情報が、図１５に示すように、図５に相等するｈｔｍｌ文書である場合を想定する。図１５は、図５に相等する取得目的情報を生成するための情報を含むｈｔｍｌ文書の一例を示す図である。図１５のｈｔｍｌ文書では、最初のｍｅｔａタグで定義されている「ラプラタ．ｃｏ．ｊｐ」という買い物サイトの名称の最後に「affiliate="&afid=abcd1234"」という文字列が追加されている。
【０１１２】
生成部１９は、図１５のｈｔｍｌ文書「affiliate=ではじまる文字列」が存在する場合、実施の形態１を用いて説明した取得目的情報の後に「metaタグのaffiliate=の直後の文字列」を追加し、
「metaタグのstart=の後の文字列」＋「選択した番組名（日本グルメの旅）をencode=の後の文字列で指定される所定の文字コードに変換してからURLエンコードしたもの」＋「metaタグのtail=の後の文字列」＋「metaタグのaffiliate=の後の文字列」
を、新たな取得目的情報（ＵＲＬ）として生成する。
【０１１３】
図１５のｈｔｍｌ文書では、「metaタグのaffiliate=の直後の文字列」
は、「&afid=abcd1234」である。したがって、生成部１９は、それを最後に追加して取得目的情報としてのＵＲＬを生成する。
【０１１４】
実施の形態３のテレビ放送受信装置１０２のサイトアクセス部２０は、生成部１９によって生成されたＵＲＬを用いて買い物サイト６００にアクセスする。買い物サイト６００はアクセスされたとき、クエリ文字列に「&afid=」という文字列が含まれている場合、そのアクセスは特定のテレビ放送受信装置１０２からのアクセスであることを認識し、「&afid=」の直後の「abcd1234」という文字列によりアクセス元を特定する。
【０１１５】
買い物サイト６００は、その後にユーザがテレビ放送受信装置１０２のサイトアクセス部２０を介して買い物サイト６００において買い物を行うと、買い物に対応する対価を認識する。買い物サイト６００は、各アクセス元に対応した銀行口座のテーブルを持っている。そこで、買い物サイト６００は、買い物に対する対価の所定の割合の金額、例えば対価の３％の金額を、買い物サイト６００が紹介されたことに対する対価として、銀行サイト９００の「abcd1234」にリンクした銀行口座にインターネット５００を介して送金する。すなわち、買い物サイト６００は、買い物に対する対価の所定の割合の金額を、銀行サイト９００のテレビ放送受信装置１０２のユーザの銀行口座にインターネット５００を介して送金する。
【０１１６】
なお、実施の形態３では、サイトアクセス部２０は、個体識別情報としてのクエリ文字列によりアクセス元を特定する情報を買い物サイト６００に送信するが、サイトアクセス部２０は、アクセス元を特定する情報を、すなわちテレビ放送受信装置１０２の個体識別情報をクエリ文字列以外の手段、たとえばＵｓｅｒ  Ａｇｅｎｔにより買い物サイト６００に送信してもよい。
【０１１７】
また、実施の形態２のシステムにおいても、テレビ放送受信装置１０１のサイトアクセス部２０は、テレビ放送受信装置１０１の個体識別情報を、すなわちアクセス元を特定する情報を買い物サイト６００に送信してもよい。また、実施の形態２のシステムにおいても、買い物サイト６００は、買い物に対する対価の所定の割合の金額を、銀行サイト９００のテレビ放送受信装置１０１のユーザの銀行口座にインターネット５００を介して送金してもよい。
【０１１８】
また、アクセス元の情報として、上記の例ではクエリ文字列をＵＲＬに挿入した情報を用いる例を説明したが、これに限らず、ＵＲＬとＵｓｅｒ Ａｇｅｎｔとを組み合わせた情報を用いても良いし、他の情報を用いても良い。
【０１１９】
更に、上記情報をアクセス先に送信する手段としては、イーサネット（登録商標）や携帯電話回線など他の通信手段を使用しても良い。
【符号の説明】
【０１２０】
１００  テレビ放送受信装置、  ２００  サイト情報提供装置、  ３００  表示装置、  ４００  スピーカ、  ５００  インターネット、  ６００  買い物サイト、  ７００  アンテナ、  １００Ａ  本体、  １００Ｂ  リモコン、  １  受信部、  ２  デスクランブル部、  ３  分離部、  ４  放送データ保持部、  ５  画像表示制御部、  ６  音出力制御部、  ７  番組表表示制御部、  ８  サイト名表示制御部、  ９  ウェブページ情報表示制御部、  １０  番組情報取得部、  １１  番組情報保持部、  １２  サイト情報取得部、１３  サイト情報保持部、  １４  番組表表示指示受付部、  １５  番組選択部、１６  抽出部、  １７  サイト名表示指示受付部、  １８  サイト名選択部、  １９  生成部、２０  サイトアクセス部。
【図１】
0005447126.tif 000002
【図２】
0005447126.tif 000003
【図３】
0005447126.tif 000004
【図４】
0005447126.tif 000005
【図５】
0005447126.tif 000006
【図６】
0005447126.tif 000007
【図７】
0005447126.tif 000008
【図８】
0005447126.tif 000009
【図９】
0005447126.tif 000010
【図１０】
0005447126.tif 000011
【図１１】
0005447126.tif 000012
【図１２】
0005447126.tif 000013
【図１３】
0005447126.tif 000014
【図１４】
0005447126.tif 000015
【図１５】
0005447126.tif 000016